(57)【要約】【課題】大小２種類の電気部品を取り外すことが可能な取り外し治具を提供する。【解決手段】ジャンクションボックスＪ内の接続箱本体１０には、ヒュージブルリンク３０とミニヒューズ２０とが装着されている。取り外し治具４０は、互いに概ね並列に配した一対のアーム部４１を途中で連結した構成とされている。両アーム部４１の図示下端側が、その間隔が比較的狭くて小型のミニヒューズ２０を挟持可能な小型用挟持部４４とされるのに対し、両アーム部４１の図示上端側が、その間隔が比較的広くて大型のヒュージブルリンク３０を挟持可能な大型用挟持部４５とされている。両アーム部４１は、小型用挟持部４４と大型用挟持部４５との間で略クランク状に屈曲して形成されることで、ミニヒューズ２０を取り外すときに把持可能な段差部４３が設けられている。【選択図】  図１
2004165078.tif 000002
【特許請求の範囲】
【請求項１】
電気接続箱内に装着された電気部品を取り外すための取り外し治具において、
互いに概ね並列に配した一対のアーム部を途中で連結した構成とされ、両アーム部の一端側が、その間隔が比較的狭くて小型の電気部品を挟持可能な小型用挟持部とされるのに対し、両アーム部の他端側が、その間隔が比較的広くて大型の電気部品を挟持可能な大型用挟持部とされており、
さらに、前記両アーム部が前記小型用挟持部と前記大型用挟持部との間で略クランク状に屈曲して形成されることで、前記小型の電気部品を取り外すときに把持可能な段差部が設けられていることを特徴とする電気部品の取り外し治具。
【請求項２】
前記電気接続箱内には、当該取り外し治具を収容可能な治具収容部が設けられ、この治具収容部内には、前記小型用挟持部に挟持されることで当該取り外し用治具を抜け止め可能な抜け止め部が設けられているものにおいて、
前記段差部は、前記小型用挟持部が前記抜け止め部を挟持する深さまで当該取り外し治具が収容されたときに前記治具収容部に設けられた規制部に突き当たることで、その収容深さを規制可能となっていることを特徴とする請求項１記載の電気部品の取り外し治具。
【発明の詳細な説明】
【０００１】
【発明の属する技術分野】
本発明は、電気部品の取り外し治具に関する。
【０００２】
【従来の技術】
従来、自動車に搭載されるジャンクションボックス内に装着されたミニヒューズをメンテナンスなどの事情により取り外す際には、ミニヒューズが非常に小さくまた圧入により保持されていて作業者にとって手では取り外し難いため、専用の取り外し治具が用いられており、その一例として下記特許文献１に記載されたものが知られている。この取り外し治具は、互いに並列な一対のアーム部を途中で連結した構成とされるとともに、一端側を摘むことで他端側を拡開させることができ、その他端部間にてミニヒューズを挟持できるようになっている。
一方、ジャンクションボックス内には、上記ミニヒューズとは別にヒュージブルリンクが装着されており、このヒュージブルリンクは、ミニヒューズと比較すると大型なので、取り外し作業は手で行っていた。
【０００３】
【特許文献１】
特開平１１−２７３５４２号公報
【０００４】
【発明が解決しようとする課題】
ところで、取り外し作業性を向上させるには、やはりヒュージブルリンクにおいても取り外し治具を用いた方が望ましい。しかしながら、そうなるとミニヒューズ用の取り外し治具に加えて、ヒュージブルリンク用の取り外し治具が必要となるため、コスト高を招くことになる。また取り外し治具は、使用しないときはジャンクションボックス内に収容しているのであるが、２つの取り外し治具を収容するようなスペースを確保するのも困難であった。
本発明は上記のような事情に基づいて完成されたものであって、大小２種類の電気部品を取り外すことが可能な取り外し治具を提供することを目的とする。
【０００５】
【課題を解決するための手段】
上記の目的を達成するための手段として、請求項１の発明は、電気接続箱内に装着された電気部品を取り外すための取り外し治具において、互いに概ね並列に配した一対のアーム部を途中で連結した構成とされ、両アーム部の一端側が、その間隔が比較的狭くて小型の電気部品を挟持可能な小型用挟持部とされるのに対し、両アーム部の他端側が、その間隔が比較的広くて大型の電気部品を挟持可能な大型用挟持部とされており、さらに、前記両アーム部が前記小型用挟持部と前記大型用挟持部との間で略クランク状に屈曲して形成されることで、前記小型の電気部品を取り外すときに把持可能な段差部が設けられている構成としたところに特徴を有する。
【０００６】
請求項２の発明は、請求項１に記載のものにおいて、前記電気接続箱内には、当該取り外し治具を収容可能な治具収容部が設けられ、この治具収容部内には、前記小型用挟持部に挟持されることで当該取り外し用治具を抜け止め可能な抜け止め部が設けられているものにおいて、前記段差部は、前記小型用挟持部が前記抜け止め部を挟持する深さまで当該取り外し治具が収容されたときに前記治具収容部に設けられた規制部に突き当たることで、その収容深さを規制可能となっているところに特徴を有する。
【０００７】
【発明の作用及び効果】
＜請求項１の発明＞
小型の電気部品については、両アーム部の一端側に設けられた小型用挟持部により挟持して取り外すことができるのに対し、大型の電気部品については、両アーム部の他端側に設けられた大型用挟持部により挟持して取り外すことができる。
このように１つの取り外し治具によって大小２種類の電気部品を取り外すことができるから、取り外し治具を大型用と小型用の２種類用意した場合と比較して、低コスト化を図ることができるなどの効果が得られる。しかも、小型の電気部品を外すときには、段差部を把持して作業を行うことができるので、取り外し作業性が良好となる。
【０００８】
＜請求項２の発明＞
取り外し治具を治具収容部内に収容すると、小型用挟持部が抜け止め部を挟持することで、取り外し治具の抜け止めが図られる。収容時には、段差部が治具収容部の規制部に突き当たることで、抜け止めがなされた位置にて取り外し治具の収容深さが規制される。
小型の電気部品を取り外すときに把持するための段差部によって治具収容部に対する取り外し治具の収容深さの規制をも行うようにしたので、取り外し治具の構造を簡素化することが可能となる。
【０００９】
【発明の実施の形態】
本発明の一実施形態を図１ないし図７により説明する。本実施形態では、自動車に搭載されるジャンクションボックスＪ内に装着されるミニヒューズ２０やヒュージブルリンク３０を取り外すために用いられる取り外し治具４０を示す。
【００１０】
ジャンクションボックスＪは、複数種類の電気部品が装着可能とされる接続箱本体１０が、図示しないカバーによって覆われた構成となっている。接続箱本体１０は、合成樹脂製とされ、図１に示すように、平面長方形をなす略ブロック状に形成されている。接続箱本体１０における上面のうち、図示幅方向両端の奥側位置には、ミニヒューズ２０を装着可能なミニヒューズ装着部１１が複数整列して設けられ、ミニヒューズ装着部１１の手前側には、ミニヒューズ２０よりも大型のヒュージブルリンク３０を装着可能なヒュージブルリンク装着部１２が複数設けられている。また接続箱本体１０における上面のうち図示幅方向中央には、ヒュージブルリンク３０よりも大型のリレー（図示せず）を装着可能なリレー装着部１３が複数設けられている。
【００１１】
ミニヒューズ装着部１１は、接続箱本体１０の上面から突出する横長な筒体のうちの両縦壁１１ａを所定深さまで切除するとともに残された両横壁１１ｂにミニヒューズ２０を嵌合可能な凹部１１ｃを２つずつ設けることで、横方向に２つ並んで配設されている。横方向に隣り合うミニヒューズ装着部１１の間には、縦壁１１ａの切除部分１１ｄと共に後述する取り外し治具４０の進入を許容する隙間が空けられている。また縦方向に隣り合う横壁１１ｂは、互いに連結されている。ミニヒューズ装着部１１の底面側には、ミニヒューズ２０の端子２２に対して導通接続可能な端子金具（図示せず）が収容されている。
【００１２】
ミニヒューズ２０は、縦長なブロック状に形成された合成樹脂製の本体部２１を備え、この本体部２１内には、一対の端子２２の上半分と、両端子２２に接続された溶断部（図示せず）とが埋設されている。また両端子２２の下半分は、本体部２１から下方へ突出している。本体部２１のうち縦方向に沿った（長辺側の）両側面には、取り外し治具４０が引っ掛け可能とされる引っ掛け溝２３が一対ずつ、それぞれ下方へ開放する形態で設けられている。このミニヒューズ２０は、ミニヒューズ装着部１１内に圧入されることで装着状態に保持されるようになっている。
【００１３】
一方、ヒュージブルリンク装着部１２は、接続箱本体１０の上面を凹ませて形成されるとともにヒュージブルリンク３０の下部を嵌合可能な嵌合凹部１２ａと、接続箱本体１０の上面から突出して形成されるとともに装着されるヒュージブルリンク３０の上部を取り囲むやや横長な筒体１２ｂとを備えている。筒体１２ｂのうちの横壁１２ｃが所定深さまで切除されており、その切除部分１２ｄには、取り外し治具４０の進入が許容されるようになっている。また嵌合凹部１２ａの底面側には、ヒュージブルリンク３０の端子に対して導通接続可能なタブ状の端子金具（図示せず）が突き出して設けられている。
【００１４】
ヒュージブルリンク３０は、合成樹脂製とされ、全体が上下に細長くやや横長な平面長方形状をなす箱型に形成されており、その内部には、一対の端子と、両端子に接続された溶断部（端子共々図示せず）とが収容されている。ヒュージブルリンク３０のうち上端部の横方向に沿った（長辺側の）両側縁からは、側方へ張り出す一対の引っ掛け部３１が設けられており、ここに後述する取り外し治具４０を引っ掛け可能とされている。ヒュージブルリンク３０の縦方向の厚み寸法は、上記ミニヒューズ２０の横方向の厚み寸法よりも大きく設定されている。ヒュージブルリンク３０は、ヒュージブルリンク装着部１２内に圧入されることで装着状態に保持されるようになっている。またヒュージブルリンク３０の下面側は、接続箱本体１０側の端子金具が進入できるよう開口されている。
【００１５】
さて、上記したミニヒューズ２０及びヒュージブルリンク３０を取り外すための取り外し治具４０について説明する。この取り外し治具４０は、合成樹脂製とされ、大まかには上下に延出するとともに互いに概ね並列に配した一対のアーム部４１と、両アーム部４１をその長さ方向の途中で連結する連結部４２とから構成され、全体が略対称形状となっている。両アーム部４１は、略クランク状になるよう連結部４２との連結位置にて約９０度ずつ２回屈曲されており、これにより連結部４２とほぼ平行な（引き抜き操作方向と略直交する）段差部４３が一対形成されている。両アーム部４１のうち連結部４２よりも図示下側部分が、比較的間隔が狭くてミニヒューズ２０を横方向から挟持可能な小型用挟持部４４とされるのに対し、連結部４２よりも上側部分が、比較的間隔が広くてヒュージブルリンク３０を縦方向から挟持可能な大型用挟持部４５とされている。そして、両アーム部４１は、大型用挟持部４５側を閉じると小型用挟持部４４側が拡開し、逆に小型用挟持部４４側を閉じると大型用挟持部４５側が拡開するように、連結部４２を支点として弾性変形可能とされている。両アーム部４１は、大型用挟持部４５側から小型用挟持部４４側にかけて幅寸法が徐々に小さくなるよう連結部４２付近が部分的にテーパ状に形成されている。また両アーム部４１における外側面には、連結部４２や段差部４３とほぼ平行をなす滑り止め部４６が複数条一定の間隔を空けて配設されている。
【００１６】
両アーム部４１のうち大型用挟持部４５における先端部内面には、全幅にわたって内方へ張り出す爪部４７が一対設けられており、この爪部４７がヒュージブルリンク３０の引っ掛け部３１に対して引っ掛け可能とされている。爪部４７の先端面は、大型用挟持部４５の先端面と共にテーパ状に形成されている。両アーム部４１のうち小型用挟持部４４における先端部内面の両端位置には、内方へ張り出す突起４８が一対ずつ設けられており、この突起４８がミニヒューズ２０の引っ掛け溝２３の上縁に対して引っ掛け可能とされている。突起４８の先端面は、小型用挟持部４４の先端面と共にテーパ状に形成されている。両アーム部４１における小型用挟持部４４の内面のうち、突起４８に対して連結部４２側に少し距離空けた位置には、取り外し作業時にミニヒューズ２０の上面に突き当て可能とされる突当部４９が内方へ張り出して設けられている。
【００１７】
上記した構造の取り外し治具４０は、接続箱本体１０の上面のうち、図示右端の手前側に設けられた治具収容部１４内に収容可能とされる。この治具収容部１４は、接続箱本体１０の上面から上方へ突出する略角筒状をなす周壁１４ａを備え、この周壁１４ａ内には、図２に示すように、収容される取り外し治具４０を抜け止め保持するための抜け止め部１４ｂが設けられている。この抜け止め部１４ｂは、周壁１４ａのうち互いに対向する一対の内面同士を連結する連結壁１４ｃと、連結壁１４ｃの下端部において側方へ張り出す張出部１４ｄとから構成されている。周壁１４ａと連結壁１４ｃとの間には、取り外し治具４０の小型用挟持部４４が進入可能とされ、その小型用挟持部４４によって張出部１４ｄが挟持されることで、取り外し治具４０の抜け止めが図られるようになっている。
【００１８】
本実施形態は以上のような構造であり、続いてその作用について説明する。ヒュージブルリンク３０とミニヒューズ２０は、それぞれヒュージブルリンク装着部１２とミニヒューズ装着部１１内に圧入されることで抜け止め状態に保持される。装着状態では、ヒュージブルリンク３０の引っ掛け部３１とミニヒューズ２０の引っ掛け溝２３は、それぞれヒュージブルリンク装着部１２とミニヒューズ装着部１１の切除部分１１ｄ，１２ｄを介して側方外部に露出して配される。
【００１９】
一方、取り外し治具４０は、治具収容部１４内に小型用挟持部４４を下に向けつつ収容する。取り外し治具４０が正規深さまで収容されると、図３に示すように、小型用挟持部４４により抜け止め部１４ｂの張出部１４ｄが挟持されることで、取り外し治具４０が抜け止め状態に保持される。仮にこの状態からさらに取り外し治具４０を押し込もうとしても、段差部４３が周壁１４ａに突き当たることでそれ以上の押し込みが規制されるので、取り外し治具４０における小型用挟持部４４の先端部が治具収容部１４の底面に突き当たって損傷などするのが防がれる。しかもこの収容状態では、小型用挟持部４４が抜け止め部１４ｂに引っ掛かるとともに、段差部４３が周壁１４ａに、突当部４９が張出部１４ｄにそれぞれ干渉することで、取り外し治具４０が上下にがたつくのが抑制される。
【００２０】
ところで、メンテナンスなどの事情により接続箱本体１０からヒュージブルリンク３０やミニヒューズ２０を取り外す作業は、治具収容部１４から取り外した取り外し治具４０を用いて行う。ヒュージブルリンク３０を取り外す場合には、図４に示すように、小型用挟持部４４を上に向けた姿勢とし、その小型用挟持部４４を摘んで閉じるとともに大型用挟持部４５を拡開させつつ、ヒュージブルリンク３０の引っ掛け部３１に対して大型用挟持部４５の爪部４７を引っ掛けるようにする。図５に示すように、爪部４７が引っ掛け部３１に引っ掛かったら、取り外し治具４０を引き上げることで、ヒュージブルリンク３０をヒュージブルリンク装着部１２から抜き取ることができる。
【００２１】
一方、ミニヒューズ２０を取り外す場合には、図６に示すように、大型用挟持部４５を上に向けた姿勢とし、その大型用挟持部４５を摘んで閉じるとともに小型用挟持部４４を拡開させつつ、ミニヒューズ２０の引っ掛け溝２３の上縁に対して小型用挟持部４４の突起４８を引っ掛けるようにする。図７に示すように、突起４８が引っ掛け溝２３の上縁に引っ掛かったら、取り外し治具４０を引き上げることで、ミニヒューズ２０をミニヒューズ装着部１１から抜き取ることができる。このとき、作業者は、両アーム部４１の段差部４３を掴んで（把持して）取り外し治具４０を引き上げることができるので、ミニヒューズ２０に対して抜き取り方向の力を作用させ易く、簡単に取り外すことができる。なお、図４ないし図７においては、ヒュージブルリンク装着部１２やミニヒューズ装着部１１の図示を省略している。
【００２２】
以上説明したように本実施形態によれば、取り外し治具４０は、上下両端に小型用挟持部４４と大型用挟持部４５とを備え、上下に反転することでリバーシブルに使用可能な構造としたから、１つの取り外し治具４０によって比較的大型のヒュージブルリンク３０と、比較的小型のミニヒューズ２０とを両方とも取り外すことができる。これにより、仮に取り外し治具を大型用と小型用の２種類用意した場合と比較して、部品点数が少なくて低コスト化を図ることができるとともに、接続箱本体１０における治具収容部１４が１つで済むのでジャンクションボックスＪ内の省スペース化をも図ることができる。しかも、比較的小型のミニヒューズ２０を取り外すときには、両アーム部４１の段差部４３を把持して作業を行うことができるので、取り外し作業性を向上させることができる。
【００２３】
さらには、取り外し治具４０を治具収容部１４内に収容するときには、段差部４３が治具収容部１４の周壁１４ａに突き当たることで、抜け止めがなされた位置にて取り外し治具４０の収容深さが規制される。すなわち段差部４３は、ミニヒューズ２０を取り外す時に作業者が把持する機能と、取り外し治具４０の収容深さを規制する機能とを兼用するので、仮に上記両機能を専用の２つの部位に担わせた場合と比較して、取り外し治具４０の構造を簡素化することができる。
【００２４】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記した実施形態では、略クランク状に形成されたアーム部４１の曲げ角度が約９０度の場合を示したが、曲げ角度は、９０度以上または９０度以下に適宜設定することが可能である。
【００２５】
（２）上記した実施形態では、ヒュージブルリンク３０とミニヒューズ２０とを取り外すものを示したが、例えばジャンクションボックス内にヒューズ（大型の電気部品）やミニヒュージブルリンク（小型の電気部品）が装着された場合にこれらを取り外すための取り外し治具についても本発明は適用可能である。
（３）上記した実施形態以外に、治具収容部を備えないジャンクションボックスに使用される取り外し治具にも本発明は適用可能である。
（４）上記した実施形態では、電気接続箱としてジャンクションボックスＪを例示したが、例えばリレーブロック内に装着された電気部品を取り外すための取り外し治具についても本発明は適用可能である。
【図面の簡単な説明】
【図１】本発明の一実施形態に係る取り外し治具と接続箱本体とヒュージブルリンクとミニヒューズとを示す斜視図
【図２】取り外し治具と治具収容部とを示す断面図
【図３】取り外し治具を治具収容部内に収容した状態を示す断面図
【図４】取り外し治具とヒュージブルリンクとを示す断面図
【図５】大型用挟持部によりヒュージブルリンクを挟持した状態を示す断面図
【図６】取り外し治具とミニヒューズとを示す断面図
【図７】小型用挟持部によりミニヒューズを挟持した状態を示す断面図
【符号の説明】
１４…治具収容部
１４ａ…周壁（規制部）
１４ｂ…抜け止め部
２０…ミニヒューズ（小型の電気部品）
３０…ヒュージブルリンク（大型の電気部品）
４０…取り外し治具
４１…アーム部
４３…段差部
４４…小型用挟持部
４５…大型用挟持部
Ｊ…ジャンクションボックス（電気接続箱）
【図１】
2004165078.tif 000003
【図２】
2004165078.tif 000004
【図３】
2004165078.tif 000005
【図４】
2004165078.tif 000006
【図５】
2004165078.tif 000007
【図６】
2004165078.tif 000008
【図７】
2004165078.tif 000009